(57)【要約】【課題】二枚貝の左右のバランスを維持すると共に、二枚貝が開きすぎるのを防ぎ、揺動により傾斜して汁が流出してしまうことがなく、二枚貝の栄養及びうま味をより多く摂取することができ、二枚貝を焼く楽しみが増加する、焼き二枚貝支持具を提供すること。【解決手段】少なくとも１つの置物部２を含み、置物部２は、中央部に透孔部が形成されると共に、該透孔部の両側に二枚貝を載置するための支持体２１がそれぞれ形成され、置物部２の一端に、上方へ屈曲され、さらに他端側へ折り返された湾曲上端部２２が設けられ、支持体２１と湾曲上端部２２との間に二枚貝挿入空間が形成されている。【選択図】図２
0003192097.tif 000002
【実用新案登録請求の範囲】
【請求項１】
焼き二枚貝支持具であって、少なくとも１つの置物部を含み、
前記置物部は、中央部に透孔部が形成されると共に、該透孔部の両側に二枚貝を載置するための支持体がそれぞれ形成され、前記置物部の一端に、上方へ屈曲され、さらに他端側へ折り返された湾曲上端部が設けられ、前記支持体と湾曲上端部との間に二枚貝挿入空間が形成されていることを特徴とする、焼き二枚貝支持具。
【請求項２】
前記置物部を支持する中間部材を含み、
前記中間部材は、上下方向に延びる筒体より成り、上端部両側に１対の孔部を備え、側面にねじ孔を備え、上端に中間部材を吊り下げるための弾性吊掛部材が設置され、弾性吊掛部材の両側に外方へ突出するリブ部がそれぞれ形成され、
前記置物部にねじ孔が形成され、
前記置物部を前記中間部材の側面外側に当接し、前記置物部のねじ孔を前記中間部材のねじ孔に合わせてねじ部材で固定することにより、少なくとも１つの置物部が前記中間部材から張り出され、前記弾性吊掛部材が前記中間部材内に嵌入され、両側の前記リブ部が前記孔部の外部に突出され、前記中間部材と、置物部と、弾性吊掛部材とが分解可能に組み立てられたことを特徴とする、請求項１に記載の焼き二枚貝支持具。
【請求項３】
前記置物部の他端から長柄を延伸して杓子状に形成されていることを特徴とする、請求項１に記載の焼き二枚貝支持具。
【請求項４】
前記置物部が金属製であり、前記支持体が棒鋼より成ることを特徴とする、請求項１に記載の焼き二枚貝支持具。
【考案の詳細な説明】
【技術分野】
【０００１】
本考案は、焼き二枚貝のバランスを維持して、傾かないよう支持する焼き二枚貝支持具に関する。
【背景技術】
【０００２】
人々の生活水準の向上に伴い、各種の娯楽も現代人の生活ニーズを満たすべく絶えず変化している。特に祝祭日や野外活動は、家族団らんにぴったりのときであり、中でもバーベキューをして食事を楽しむことはとても人気が高い。
現在のバーベキュー器具を見ると、ほとんどが金属材質の網状平板をバーベキュー装置の上に置き、肉類などの食品をその上方に置いて焼き、火が通った後食べることができるようになっているが、二枚貝のような食品の場合は火が通った後一般にトングを用いて挟むと、二枚貝がバランスを失って汁が外部にあふれ出てしまい、おいしさが大きく損なわれてしまう。
【考案の概要】
【考案が解決しようとする課題】
【０００３】
本考案が解決しようとする課題は、上述の問題を解決し、二枚貝の左右のバランスを維持すると共に、二枚貝が開きすぎるのを防ぎ、揺動により傾斜して汁が流出してしまうことがなく、二枚貝の栄養及びうま味をより多く摂取することができ、二枚貝を焼く楽しみが増加する、焼き二枚貝支持具を提供することにある。
【課題を解決するための手段】
【０００４】
本考案の焼き二枚貝支持具は、少なくとも１つの置物部を含み、前記置物部は、中央部に透孔部が形成されると共に、該透孔部の両側に二枚貝を載置するための支持体がそれぞれ形成され、前記置物部の一端に、上方へ屈曲され、さらに他端側へ折り返された湾曲上端部が設けられ、前記支持体と湾曲上端部との間に二枚貝挿入空間が形成されている。
【０００５】
前記置物部を支持する中間部材を含み、前記中間部材は、上下方向に延びる筒体より成り、上端部両側に１対の孔部を備え、側面にねじ孔を備え、上端に中間部材を吊り下げるための弾性吊掛部材が設置され、弾性吊掛部材の両側に外方へ突出するリブ部がそれぞれ形成され、前記置物部にねじ孔が形成され、前記置物部を前記中間部材の側面外側に当接し、前記置物部のねじ孔を前記中間部材のねじ孔に合わせてねじ部材で固定することにより、少なくとも１つの置物部が前記中間部材から張り出され、前記弾性吊掛部材が前記中間部材内に嵌入され、両側の前記リブ部が前記孔部の外部に突出され、前記中間部材と、置物部と、弾性吊掛部材とが分解可能に組み立てられることもある。
前記置物部の他端から長柄を延伸して杓子状に形成してもよい。
前記置物部が金属製であり、前記支持体が棒鋼より成ることがある。
【考案の効果】
【０００６】
本考案によれば、さまざまな大きさの二枚貝を、中央部に透孔部が形成された置物部の支持体上にそれぞれ置いて、二枚貝の左右のバランスを維持することができ、揺動により傾斜して汁が流出してしまうことがなく、より多くの二枚貝の栄養を摂取することができ、同時に二枚貝を焼く楽しみを増加することができる。
また、火が通った後二枚貝の上側の殻が一定高さまで開くと湾曲上端部に当接されるため、二枚貝の上側の殻が開き過ぎることがなく、二枚貝の重心を中心位置に集中させることができる。
【図面の簡単な説明】
【０００７】
【図１】本考案の実施例１を示す焼き二枚貝支持具の分解斜視図である。
【図２】本考案の実施例１に係る置物部の斜視図である。
【図３】本考案の実施例１を示す焼き二枚貝支持具の斜視図である。
【図４】本考案の実施例１を示す焼き二枚貝支持具の使用状態における斜視図である。
【図５】本考案の実施例１を示す焼き二枚貝支持具の要部断面図である。
【図６】本考案の実施例２に係る置物部の斜視図である。
【図７】本考案の実施例２を示す焼き二枚貝支持具の使用状態における断面図である。
【考案を実施するための形態】
【０００８】
以下、本考案の実施例を図面に基づいて詳細に説明する。図１〜図５は、本考案の実施例１を示す。
図１に示すように、実施例１の焼き二枚貝支持具は、中間部材１と、少なくとも１つの（図に示す例では４つの）置物部２を含む。
中間部材１は、上下方向に延びる筒体より成り、上端部に小径部が形成されている。また、中間部材１の小径部両側及び下端部両側にそれぞれ１対の孔部１１が対向して形成され、側面中間部には少なくとも１対の（図に示す例では４対の）ねじ孔１２が上下に並んで設けられる。
また、中間部材１の上端部には、中間部材１を吊り下げるための弾性吊掛部材１３が設置される。弾性吊掛部材１３は、細い棒材を上方へ凸となるよう屈曲し、両端部に外方へ突出したリブ部１３ａを形成して成る。
【０００９】
図２に示すように、置物部２は金属を素材とし、中央部に透孔部を有し、その両側に支持体２１がそれぞれ形成された環状を成す。支持体２１は棒鋼とするのが望ましい。また、置物部２の一端は上方へ屈曲され、さらに他端側へ折り返されて湾曲上端部２２が設けられ、支持体２１と湾曲上端部２２との間に二枚貝挿入空間が形成されている。さらに、湾曲上端部２２の下部（上方へ屈曲した部分）に１対のねじ孔２３が上下に並んで形成されている。なお、置物部２の支持体２１及び湾曲上端部２２は、対向する側が凹となるよう緩やかに湾曲している。
【００１０】
焼き二枚貝支持具を組立てるには、中間部材１の側面外側に置物部２の湾曲上端部２２の下部を当接し、置物部２のねじ孔２３を中間部材１のねじ孔１２にそれぞれ合わせ、ねじ部材で固定して、中間部材１の側面から置物部２を張り出す。続いて、弾性吊掛部材１３を中間部材１の上端から内部に嵌入し、両側のリブ部１３ａを孔部１１の外部に突出させ、図３に示すように、中間部材１と、置物部２と、弾性吊掛部材１３を分解可能に組み立てて焼き二枚貝支持具が完成する。
【００１１】
使用時は、焼き二枚貝支持具を一般的なバーベキュー装置上に置き、続いてさまざまな大きさの二枚貝を置物部２の二枚貝挿入空間に挿入して支持体２１上にそれぞれ置き、フック部材に弾性吊掛部材１３を掛ければよい。図５に示すように、支持体２１は二枚貝の外殼形状に合うよう湾曲し、中央に透孔部が形成されているので、二枚貝をこの両側の支持体２１上に置くと左右のバランスが維持され、揺動により傾斜して汁が流出してしまうことがなく、より多くの二枚貝の栄養を摂取することができ、同時に二枚貝を焼く楽しみを増加することができる。火が通って二枚貝の上側の殻が一定の高さまで開くと、湾曲上端部２２に当接され、二枚貝の上側の殻が開き過ぎないように防止し、二枚貝の重心を中心位置に集中させることができる。
【００１２】
また、図４に示すように、中間部材１の上端の小径部外面に他の中間部材１の下端部を嵌合して、中間部材を２段に重ねると共に、下方の中間部材１の上端部に形成された孔部１１と上方の中間部材１の下端部に形成された孔部１１とを一致させ、下方の中間部材１の上端部に取り付けた弾性吊掛部材１３のリブ部１３ａを上方の中間部材１の下端部に形成された孔部１１から突出させれば、上下２層に組み立てることができる。
【００１３】
実施例１の焼き二枚貝支持具は、次のような実用的効果を得ることができる。
１．置物部が複数放射状に配置されて中間部材に固定されることで安定し、倒れにくい構造とすることができる。
２．置物部が複数放射状に配置されて中間部材に固定され、中間部材には弾性吊掛部材が設置されるため、器具全体をフックに掛けることができる。
３．組立て機能を備えており、追加の置物部を連接することができ、上下２層または多層の置物部を形成して、かつ適切な角度に互い違いに配置することで熱気を上昇させて上層の二枚貝を焼くことができる。
４．さまざまな大きさの二枚貝を二枚貝の外殼弧度に合わせた各置物部の支持体上にそれぞれ置いて、二枚貝の左右のバランスを維持することができ、揺動により傾斜して汁が流出してしまうことがなく、より多くの二枚貝の栄養を摂取することができ、同時に二枚貝を焼く楽しみを増加することができる。
５．火が通った後二枚貝の上側の殻が一定高さまで開くと湾曲上端部に当接されるため、二枚貝の上側の殻が開き過ぎることがなく、二枚貝の重心を中心位置に集中させることができる。
【００１４】
図６及び図７は、本考案の実施例２を示す。
実施例２の焼き二枚貝支持具は、図６に示すように、置物部２の他端から長柄２４を延伸して杓子状に形成されている。置物部２は、実施例１と同様に、中央部に透孔部を有し、透孔部の両側に二枚貝を置くための細長い支持体２４ａが設けられ、置物部２の一端（長柄２４と逆側端）に湾曲上端部２４ｂが形成される。湾曲上端部２４ｂは二枚貝の上側の殻が開き過ぎることがないように防止できる。
長柄２４を有する杓子状の焼き二枚貝支持具を使用する場合は、図７に示すように、さまざまな大きさの二枚貝を置物部２の二枚貝挿入空間に挿入して支持体２４ａ上に置く。実施例２も、置物部２の両側に支持体２４が設けられ、かつ一端に湾曲上端部２４ｂが形成されており、その効果は上述と同じであるため説明を省略する。
【００１５】
以上は、本考案の実施例の説明であって、本考案の権利範囲を限定するものではなく、数値の変更や同等の機能を有する部材への置き換えはいずれも本考案の権利範囲に含まれる。
【符号の説明】
【００１６】
１        中間部材
１１      孔部
１２、２３    ねじ孔
１３      弾性吊掛部材
１３ａ    リブ部
２        置物部
２１、２４ａ    支持体
２２、２４ｂ    湾曲上端部
２４      長柄
【図１】
0003192097.tif 000003
【図２】
0003192097.tif 000004
【図３】
0003192097.tif 000005
【図４】
0003192097.tif 000006
【図５】
0003192097.tif 000007
【図６】
0003192097.tif 000008
【図７】
0003192097.tif 000009